(57)【要約】【課題】表示装置全体の薄型化を図りつつ、組み立て時においてフレームが表示パネルへ干渉し、表示品位が悪化することを防止する表示装置を提供することを目的とする。【解決手段】本発明の表示装置は、液晶表示パネル１、液晶表示パネル１の前面側に設置され液晶表示パネル１の周縁部を保護するフロントフレーム２、フロントフレーム２の内側であって、少なくとも液晶表示パネル１の側面に隣接する部材を有するミドルフレーム３を備え、ミドルフレーム３の部材は、液晶表示パネル１の前面方向に突出し、フロントフレーム２を液晶表示パネル１の前面方向に押す弾性力を有する突起部６を備えて構成される。【選択図】  図３
2009053220.tif 000002
【特許請求の範囲】
【請求項１】
表示パネルと、
前記表示パネルの前面側に設置され前記表示パネルの周縁部を保護する第１のフレームと、
前記第１のフレームの内側であって、少なくとも前記表示パネルの側面に隣接する部材で構成された第２のフレームとを備え、
前記第２のフレームの前記部材は、前記表示パネルの前面方向に突出し、前記第１のフレームを前記表示パネルの前面方向に押す弾性力を有する突起部を備えた
表示装置。
【請求項２】
バックライトをさらに備え、
前記第２のフレームは、前記バックライトの一構成部材であり前記表示パネルの裏面に配置するフレームを含む
請求項１に記載の表示装置。
【請求項３】
前記第１のフレームが前記表示パネルに固定されていない状態において、前記突起部は、前記表示パネルを配置した位置を越える高さに形成された
請求項１または請求項２に記載の表示装置。
【請求項４】
前記第１のフレームが前記表示パネルに固定された状態において、前記突起部は、前記第１のフレームに押圧されることにより前記表示パネルと等しい高さで固定された
請求項３に記載の表示装置。
【請求項５】
表示パネルと、
前記表示パネルの前面側に設置され、前記表示パネルの周縁部を保護する第１のフレームと、
前記第１のフレームと係合し、バックライトを内部に収納する第２のフレームとを備え、
前記第１のフレームの前記第２のフレームと対向する面に、前記第１のフレームを前記表示パネルの前面方向に押す弾性力を有する突起部を備えた
表示装置。
【発明の詳細な説明】
【技術分野】
【０００１】
本発明は、周縁部を保護するフレームを備えた表示装置に関する。
【背景技術】
【０００２】
液晶表示パネルを構成するガラス基板のチッピングや、偏光板への傷を防止する為に、液晶表示パネルの総厚を越える保護枠（以下、フレームとする）でパネルを囲み保護する構造が、特許文献１に示されている。
【０００３】
【特許文献１】特開平５−１６５０１２号公報
【発明の開示】
【発明が解決しようとする課題】
【０００４】
しかしながら、上記文献の構造では、ガラス基板のチッピングや偏光板の傷を防ぐ事は可能であるが、フレームについてパネルの総厚を越える側壁が必要な為、液晶モジュール全体の薄型化を行う上では障害になってしまうという問題点があった。また、フレームの側壁を液晶表示パネルの総厚と同程度に形成し薄型化を図った場合、組み立て時においてパネル最表面の偏光板端面などがフレームと干渉し、応力による変形の影響により表示品位が悪化してしまうという問題点があった。
【０００５】
この発明は上記のような問題点を解消するためになされたもので、表示装置全体の薄型化を図りつつ、組み立て時においてフレームが表示パネルへ干渉し、表示品位が悪化することを防止する表示装置を提供することを目的とする。
【課題を解決するための手段】
【０００６】
本発明の表示装置は、表示パネル、表示パネルの前面側に設置され表示パネルの周縁部を保護する第１のフレーム、第１のフレームの内側であって、少なくとも表示パネルの側面に隣接する部材を有する第２のフレームを備え、第２のフレームの部材は、表示パネルの前面方向に突出し、第１のフレームを表示パネルの前面方向に押す弾性力を有する突起部を備えて構成される。
【発明の効果】
【０００７】
本発明によれば、組み立て時において、第１のフレームが表示パネルより先に突起部に当たる事により、表示パネルに対し衝撃を与えずに済む為、表示パネルを保護する事が可能となる。また、突起部を有することにより、第１のフレームは上側から被せるような組み立て方法が可能になり、表示パネルにおいて側面側から衝撃が加わらない為、偏光板端面などへの引っ掛かりによる表示品位の低下を防止する事が可能となる。組み立て後においては、突起部は弾性力を有している事により表示パネルと同じ高さまで低くなり、不要な高さ部分がないため、表示装置として必要最小限の厚さに納める事が可能となる。
【発明を実施するための最良の形態】
【０００８】
以下、この発明をその実施の形態を示す図面に基づいて具体的に説明する。
【０００９】
（構成）
図１は、本実施の形態における液晶表示装置（表示装置）を上面から見た図である。液晶表示パネル（表示パネル）１を有し、液晶表示パネル１の前面側には、周縁部を保護するフロントフレーム（第１のフレーム）２が設置される。
【００１０】
図２は、図１に示す液晶表示装置について、フロントフレーム２を取り外した状態を示す図である。
【００１１】
液晶表示装置は、フロントフレーム２の内側に位置し、少なくとも液晶表示パネル１の側面に隣接する部材で構成されたミドルフレーム（第２のフレーム）３を備える。液晶表示パネル１は、ミドルフレーム３の角部に形成された表示パネル位置合わせガイド７に４辺が当接するように、ミドルフレーム３の上面に設けられた開口部（図示せず）に配置される。液晶表示パネル１の上辺および左辺には、回路基板であるＴＣＰ４（Tape carrier package、以下ＴＣＰと称する）が備えられており、ＴＣＰ４が動作することにより、液晶表示パネル１の画像が駆動、制御される。
【００１２】
ミドルフレーム３の下部には光を照射するためのバックライトユニット（図示せず）が設置され、さらにバックライトユニットの下部にはリアフレーム５が設置される。バックライトユニットは、リアフレーム５およびミドルフレーム３により挟持される。なお、ミドルフレーム３は、バックライトの一構成部材であり液晶表示パネル１の裏面に配置するフレームを含む構成であってもよい。図１に示したフロントフレーム２はリアフレーム５と係合されることで液晶表示装置が構成される。
【００１３】
また、ＴＣＰ４が配置されている、液晶表示パネル１の側面に隣接したミドルフレーム３の部材には、液晶表示パネル１の前面方向に突出した突起部６が備えられる。突起部６はリアフレーム５の方向に力がかかると、フロントフレーム２の方向に弾力が働くばね構造を有している。すなわち突起部６は、フロントフレーム２を液晶表示パネル１の前面方向に押す弾性力を有する。
【００１４】
ここで、図３は図１に示すＡ−Ａ’におけるフロントフレーム２が液晶表示パネル１に固定される前の断面図、図４は固定された後の断面図を示すものである。
【００１５】
液晶表示パネル１はＴＦＴなどが形成されるＴＦＴガラス基板１０と、カラーフィルターなどが形成されるＣＦガラス基板９を有する。両基板は周辺部分についてシール材により対向して貼り付けられ、対向基板間には液晶が封止されている。ＴＦＴガラス基板１０の表面にはＴＦＴ側偏光板１１が、ＣＦガラス基板９の表面にはＣＦ側偏光板８が形成される。
【００１６】
また、上述したように、液晶表示パネル１はミドルフレーム３上面の開口部に設置され、ミドルフレーム３の側辺部には、フロントフレーム２側に突出する突起部６が設けられる。
【００１７】
図３に示すように、組み立て時におけるフロントフレーム２が液晶表示パネル１に固定されていない状態においては、突起部６のミドルフレーム３からの高さ１３は、ミドルフレーム３に液晶表示パネル１が配置された場合の高さ１２よりも高くなるように形成される。すなわち、突起部６は、液晶表示パネル１を配置した位置を越える高さで形成されている。よって、フロントフレーム２が液晶表示パネル１に固定されていない状態においては、フロントフレーム２は液晶表示パネル１に接触しない。
【００１８】
突起部６と表示パネル１との高低差１４の寸法は、ＣＦ側偏光板８の厚さ以上である事が望ましい。なお、突起部６はフロントフレーム２の方向に弾力が働くばね構造を備えるものであれば、どのような形状でもよい。
【００１９】
図４に示すように、組み立て後におけるフロントフレーム２が液晶表示パネル１に固定された状態において、突起部６はフロントフレーム２に押圧されることにより液晶表示パネル１と等しい高さで固定される。フロントフレーム２はＣＦ側偏光板８の上に被さるように固定される。
【００２０】
（製法）
次に、本発明に係る液晶表示装置の組み立て方法に関し、特にフロントフレーム２の設置について、図３、図４を元に説明する。
【００２１】
図３に示すように、ミドルフレーム３上面の開口部に液晶表示パネル１が設置される。次いでフロントフレーム２が傾斜されながら被せられるが、まず図１に示した突起部６を備えるミドルフレーム３の上辺部と、フロントフレーム２が係合される。
【００２２】
このとき、図３に示すように、フロントフレーム２とミドルフレーム３の突起部６が当接され、フロントフレーム２はミドルフレーム３の下部に設置されたリアフレーム５に向かって回転されながら最終的にリアフレーム５に係合される。ミドルフレーム３の突起部６はばね構造であるため、フロントフレーム２がリアフレーム５に係合される際、突起部６はフロントフレーム２の方向に弾力が加わる。よって、フロントフレーム２が液晶表示パネル１に固定されていない状態においては、フロントフレーム２は液晶表示パネル１に接触しない。
【００２３】
その後、フロントフレーム２が液晶表示パネル１に固定された状態においては、図４について上述したように、突起部６はフロントフレーム２に押圧されることにより液晶表示パネル１と等しい高さで固定される。フロントフレーム２はＣＦ側偏光板８の上に被さるように固定される。
【００２４】
（効果）
本発明によれば、組み立て時において、フロントフレーム２が液晶表示パネル１より先に突起部６に当たる事により、液晶表示パネル１に対し衝撃を与えずに済む為、液晶表示パネル１を保護する事が可能となる。また、突起部６を有することにより、フロントフレーム２は上側から被せるような組み立て方法が可能になり、液晶表示パネル１において側面側から衝撃が加わらない為、偏光板端面などへの引っ掛かりによる表示品位の低下を防止する事が可能となる。組み立て後においては、突起部６は弾性力を有している事により液晶表示パネル１と同じ高さまで低くなり、不要な高さ部分がないため、液晶表示装置として必要最小限の厚さに納める事が可能となる。
【００２５】
なお、突起部６は、ＴＣＰ４が配置されているミドルフレーム３の側辺部に設けられたが、本発明の効果を奏する構造であれば、他の辺に設けられてもよい。
【００２６】
本発明の他の例として、図５に示す通り、バネ構造を有する突起部をリアフレーム５に設けてもよい。バックライトユニット（図示せず）の下部に設置されたリアフレーム５にバネ構造を有する突起部５１を設け、フロントフレーム２が液晶表示パネル１に固定された状態において、突起部５１がフロントフレーム２に当接し、押圧されることにより、液晶表示パネル１と等しい高さで固定される。また、図６に示す通り、バネ構造を有する突起部をフロントフレームに設けてもよい。図６に示す液晶表示装置は、フロントフレーム２と、フロントフレーム２と係合しバックライトを内部に収納するミドルフレーム３とを備え、フロントフレーム２のミドルフレーム３と対向する面に、フロントフレーム２を液晶表示パネル１の前面方向に押す弾性力を有する突起部２１を備える。フロントフレーム２が液晶表示パネル１に固定された状態において、突起部２１がミドルフレーム３もしくはリアフレーム５に当接し、押圧されることにより液晶表示パネル１と等しい高さで固定される。
【図面の簡単な説明】
【００２７】
【図１】本発明に係る液晶表示装置を示す上面図である。
【図２】本発明に係るフロントフレームを被せる前の液晶表示装置を示す上面図である。
【図３】本発明に係るフロントフレームを固定する前の液晶表示装置を示す断面図である。
【図４】本発明に係るフロントフレームを固定した後の液晶表示装置を示す断面図である。
【図５】本発明に係るその他の実施例でリアフレームに突起部を設けたときの断面図である。
【図６】本発明に係るその他の実施例でフロントフレームにバネ部を設けたときの断面図である。
【符号の説明】
【００２８】
１  液晶表示パネル、２  フロントフレーム、３  ミドルフレーム、４  ＴＣＰ、５  リアフレーム、６，２１，５１  突起部、７  表示パネル位置合わせガイド、８  ＣＦ側偏光板、９  ＣＦガラス基板、１０  ＴＦＴガラス基板、１１  ＴＦＴ側偏光板、１２，１３  高さ、１４  高低差。
【図１】
2009053220.tif 000003
【図２】
2009053220.tif 000004
【図３】
2009053220.tif 000005
【図４】
2009053220.tif 000006
【図５】
2009053220.tif 000007
【図６】
2009053220.tif 000008